(57)【要約】【課題】本発明は、操作の煩雑さを回避しつつ、ユーザの誤操作を防止することを目的とする。【解決手段】本発明の電子機器１００は、選択操作により選択された画像に所定の処理を施すための操作がなされると、画像への処理可否を確認するための確認画面を表示するように制御する表示制御手段と、確認画面を表示した状態において所定の処理の実行指示操作を受け付けたことに応じて、選択操作により選択された画像に所定の処理を施す処理手段と、確認画面において、選択操作によって選択された画像が、特定情報を関連付けられた画像であるか否かに応じて実行指示操作の操作方法を異ならしめるように制御する制御手段と、を有することを特徴とする。【選択図】図８
2018077701.tif 000002
【特許請求の範囲】
【請求項１】
選択操作により選択された画像に所定の処理を施すための操作がなされると、画像への処理可否を確認するための確認画面を表示するように制御する表示制御手段と、
前記確認画面を表示した状態において前記所定の処理の実行指示操作を受け付けたことに応じて、前記選択操作により選択された画像に前記所定の処理を施す処理手段と、
前記確認画面において、前記選択操作によって選択された画像が、特定情報を関連付けられた画像であるか否かに応じて前記実行指示操作の操作方法を異ならしめるように制御する制御手段と、
を有することを特徴とする電子機器。
【請求項２】
前記制御手段は、前記確認画面に表示される、前記実行指示操作を受け付けるための表示アイテムと他の表示アイテムとのうち、前記選択操作によって選択された画像が前記特定情報を関連付けられた画像であるか否かに応じて、初期選択する表示アイテムを変更するように制御することを特徴とする請求項１に記載の電子機器。
【請求項３】
前記制御手段は、前記選択操作によって選択された画像が前記特定情報を関連付けられた画像である場合には、前記実行指示操作を受け付けるための表示アイテムを初期選択しないように制御することを特徴とする請求項２に記載の電子機器。
【請求項４】
前記制御手段は、前記確認画面に表示される、前記実行指示操作を受け付けるための表示アイテムの表示位置を、前記選択操作によって選択された画像が前記特定情報を関連付けられた画像であるか否かに応じて変更するように制御することを特徴とする請求項１乃至３のいずれか１項に記載の電子機器。
【請求項５】
前記特定情報は、画像の保護情報、音声情報、及び、画像のレーティング情報のうち少なくとも１つであることを特徴とする請求項１乃至４のいずれか１項に記載の電子機器。
【請求項６】
前記所定の処理は、画像の消去であることを特徴とする請求項１乃至５のいずれか１項に記載の電子機器。
【請求項７】
前記所定の処理は、画像の転送、印刷、フォルダ移動、コピー、及び、課金に係る処理の少なくとも１つであることを特徴とする請求項１乃至５のいずれか１項に記載の電子機器。
【請求項８】
前記実行指示操作は、前記確認画面に表示される、前記実行指示操作を受け付けるための表示アイテムを選択操作部材によって選択し、その状態で確定操作部材を操作する操作であることを特徴とする請求項１乃至７のいずれか１項に記載の電子機器。
【請求項９】
前記実行指示操作は、前記確認画面に表示される、前記実行指示操作を受け付けるための表示アイテムに対応する位置に対するタッチ操作であることを特徴とする請求項１乃至７のいずれか１項に記載の電子機器。
【請求項１０】
前記確認画面を表示した状態において、前記実行指示操作とは異なる第２実行指示操作を受け付けたことに応じて、前記特定情報の変更、及び、削除の少なくともいずれかを行う第２処理手段をさらに有し、
前記制御手段は、前記選択操作によって選択された画像が前記特定情報を関連付けられた画像である場合には、前記第２実行指示操作を受け付けるための表示アイテムを表示させる制御を行うことを特徴とする請求項１乃至９のいずれか１項に記載の電子機器。
【請求項１１】
選択操作により選択された画像に所定の処理を施すための操作がなされると、画像への処理可否を確認するための確認画面を表示するように制御する表示制御ステップと、
前記確認画面を表示した状態において前記所定の処理の実行指示操作を受け付けたことに応じて、前記選択操作により選択された画像に前記所定の処理を施す処理ステップと、
前記確認画面において、前記選択操作によって選択された画像が、特定情報を関連付けられた画像であるか否かに応じて前記実行指示操作の操作方法を異ならしめるように制御する制御ステップと、
を有することを特徴とする電子機器の制御方法。
【請求項１２】
コンピュータを、請求項１乃至１０のいずれか１項に記載された電子機器の各手段として機能させるためのプログラム。
【請求項１３】
コンピュータを、請求項１乃至１０のいずれか１項に記載された電子機器の各手段として機能させるためのプログラムを格納したコンピュータが読み取り可能な記憶媒体。
【発明の詳細な説明】
【技術分野】
【０００１】
本発明は、電子機器、電子機器の制御方法、及び、プログラムに関する。
【背景技術】
【０００２】
近年、デジタルカメラ等で撮影された画像を再生表示可能な電子機器が種々ある。ユーザは再生された画像に対し、消去、転送、印刷等の様々な処理の実行指示をすることが可能であることが一般的である。この際、ユーザの操作ミス等によって誤って処理されてしまうことがある。このような誤った処理の防止に関して、以下の技術が提案されている。
特許文献１では、アルバムフォルダに格納されたアルバムファイルが削除される際には、データファイル削除時には表示されない警告画面が表示される。
特許文献２では、データに対しての削除実行が指示された場合、そのデータが所定期間内に使用されたものであれば注意喚起メッセージが表示される。特許文献１、及び、特許文献２共に、警告表示や注意喚起メッセージに対して、更に処理を実行させる操作を行うことで、処理が実行される。
また、特許文献３、及び、特許文献４では、操作する度に操作画面におけるアイコンの配置を変更させる技術が開示されている。
【先行技術文献】
【特許文献】
【０００３】
【特許文献１】特開２００４−２７４４５７号公報
【特許文献２】特開２０１１−２０５２５７号公報
【特許文献３】特開２００３−１９６００６号公報
【特許文献４】特開２０１１−１０７８０３号公報
【発明の概要】
【発明が解決しようとする課題】
【０００４】
しかしながら、特許文献１の技術では、アルバムファイルを削除するときは、データファイルを削除する場合と比べて、削除の処理を実行するまでに必要な操作数が増加し、操作が煩雑になる。特許文献２の技術でも、所定期間内に使用されたファイルを削除するときは、所定期間内に使用されていないファイルを削除する場合と比べて、削除の処理を実行するまでに必要な操作数が増加し、操作が煩雑になる。
また、特許文献３、及び、特許文献４の技術では、毎回アイコンの配置を変更させるため、例えば、レーティング情報等の特定情報が付帯していない画像を連続して処理していく場合、操作が煩雑になる。
【０００５】
本発明は、操作の煩雑さを回避しつつ、ユーザの誤操作を防止することを目的とする。
【課題を解決するための手段】
【０００６】
本発明の電子機器は、選択操作により選択された画像に所定の処理を施すための操作がなされると、画像への処理可否を確認するための確認画面を表示するように制御する表示制御手段と、前記確認画面を表示した状態において前記所定の処理の実行指示操作を受け付けたことに応じて、前記選択操作により選択された画像に前記所定の処理を施す処理手段と、前記確認画面において、前記選択操作によって選択された画像が、特定情報を関連付けられた画像であるか否かに応じて前記実行指示操作の操作方法を異ならしめるように制御する制御手段と、を有することを特徴とする。
【発明の効果】
【０００７】
本発明によれば、操作の煩雑さを回避しつつ、ユーザの誤操作を防止できる。
【図面の簡単な説明】
【０００８】
【図１】デジタルカメラのブロック図である。
【図２】デジタルカメラの背面図である。
【図３】第１実施形態における画像再生消去処理のフローチャートである。
【図４】第１実施形態における画像再生画面の図である。
【図５】第１実施形態における画像再生消去処理のフローチャートである。
【図６】第１実施形態における消去実行確認画面等の図である。
【図７】第１実施形態における画像再生消去処理のフローチャートである。
【図８】第１実施形態における消去実行確認画面の図である。
【図９】第１実施形態における画像再生消去処理のフローチャートである。
【図１０】第１実施形態における消去実行確認画面の図である。
【図１１】第２実施形態における画像再生消去処理のフローチャートである。
【図１２】第２実施形態における消去実行確認画面の図である。
【図１３】第２実施形態におけるレーティングレベル変更画面等の図である。
【図１４】第２実施形態における画像再生消去処理のフローチャートである。
【図１５】第３実施形態における消去実行確認画面の図である。
【図１６】その他の実施形態における処理実行確認画面の図である。
【図１７】比較例における消去実行確認画面等の図である。
【発明を実施するための形態】
【０００９】
＜第１実施形態＞
まず、図１７を参照して、本実施形態に係るデジタルカメラ１００の比較例となるデジタルカメラの動作について説明する。
図１７（ａ）は、比較例となるデジタルカメラの画像再生画面１７００を示す図である。画像再生画面１７００は、比較例となるデジタルカメラの画像表示部に表示される画面であり、比較例となるデジタルカメラの記録媒体等に記録された画像が再生された画面である。
【００１０】
図１７（ｂ）、（ｃ）は、比較例となるデジタルカメラの消去実行確認画面１７０１を示す図である。消去実行確認画面１７０１は、画像再生画面１７００が表示された状態で、デジタルカメラの消去ボタンが押下されたとき等に画像表示部に表示される。消去実行確認画面１７０１には、削除の処理の対象となる画像（処理対象画像）１７１０と、削除をキャンセルする「キャンセル」アイコン１７２０と、処理を実行する「消去」アイコン１７３０とが表示される。処理対象画像１７１０は、画像再生画面１７００で再生された画像である。「キャンセル」アイコン１７２０、及び、「消去」アイコン１７３０は、処理対象画像１７１０に重畳して表示される。
また、消去実行確認画面１７０１には、処理対象画像１７１０に特定情報が付帯されている場合、「特定情報」アイコン１７４０が表示されることもある。特定情報は、処理対象画像１７１０の属性情報に含まれる情報である。比較例となるデジタルカメラでは、特定情報はレーティング情報であるものとする。
【００１１】
図１７（ｂ）の消去実行確認画面１７０１は「キャンセル」アイコン１７２０が選択された状態であり、図１７（ｃ）の消去実行確認画面１７０１は「消去」アイコン１７３０が選択された状態である。
消去実行確認画面１７０１の初期状態は、図１７（ｂ）の状態であり、「キャンセル」アイコン１７２０が選択された状態になっている。ユーザは、デジタルカメラの操作部材を用いてアイコンの選択を変更して、図１７（ｃ）のように「消去」アイコン１７３０が選択された状態にして、デジタルカメラにおける決定操作を行うことで、処理対象画像１７１０の削除が実行される。
ここでは、画像の削除についての動作を説明したが、削除以外の処理についても同様である。
【００１２】
このような比較例となるデジタルカメラでは、画像に特定情報が付帯されている場合と付帯されていない場合とで、画像の処理（図１７の例では画像の削除）のための操作が同一である。したがって、複数の画像に対して連続して同一の処理を実行する場合、反復動作の慣れによって、本来は処理を行う必要のない画像に対しても、誤って処理を実行させる操作を行ってしまうことがある。
次に説明する本実施形態に係るデジタルカメラ１００によれば、このような誤操作を回避できる。
【００１３】
まず、図１、図２を参照して、電子機器の例であるデジタルカメラ１００の構成について説明する。図１は、デジタルカメラ１００の内部構成を示すブロック図である。図２は、デジタルカメラ１００の背面図である。
デジタルカメラ１００の本体部であるデジタルカメラ本体１０１の構成を次に説明する。
１１０は、撮影レンズであり、透過した光束を撮像素子１１４へと導く。
１１２は、撮像素子１１４への露光量を制御するためのシャッタである。
１１４は、光学像を電気信号に変換する撮像素子であり、例えばＣＣＤセンサ、ＣＭＯＳセンサ等である。撮影レンズ１１０に入射した光束は、シャッタ１１２を介して導かれ、光学像として撮像素子１１４の撮像面上に結像する。
【００１４】
１１６は、Ａ／Ｄ変換器であり、撮像素子１１４からのアナログ信号出力をデジタル信号（以下、画像とする）に変換する。
１１８は、タイミング発生回路であり、撮像素子１１４、及び、Ａ／Ｄ変換器１１６にクロック信号や制御信号を供給する。タイミング発生回路１１８は、メモリ制御回路１２２、及び、システム制御回路１５０により制御される。
１２０は、画像処理回路であり、Ａ／Ｄ変換器１１６からの画像あるいはメモリ制御回路１２２からの画像に対して所定の画素補間処理や色変換処理を行う。
１２２は、メモリ制御回路であり、Ａ／Ｄ変換器１１６、タイミング発生回路１１８、画像処理回路１２０、画像表示メモリ１２４、画像メモリ１３０、圧縮・伸長回路１３２を制御する。Ａ／Ｄ変換器１１６が出力する画像は、画像処理回路１２０、及び、メモリ制御回路１２２を介して、あるいはメモリ制御回路１２２のみを介して画像表示メモリ１２４あるいは画像メモリ１３０に書き込まれる。
【００１５】
１２４は、画像表示メモリであり、表示される画像が書き込まれる。
１２８は、画像表示部であり、例えばＴＦＴ等の画像表示手段である。
画像表示メモリ１２４、及び、画像表示部１２８は、画像表示のための処理を行う。具体的には、画像表示メモリ１２４に書き込まれた表示用の画像が、画像表示部１２８に出力されて表示される。また、記録媒体１０２の記録領域１０２ａに記録されている画像を読み出し、圧縮・伸長回路１３２によって所定の処理を行った後、画像表示メモリ１２４を介して画像表示部１２８に表示することも可能である。また、画像に関連付けて記録されている特定情報に関する表示や、デジタルカメラの操作に関する表示を画像にスーパーインポーズし、画像表示部１２８に表示することも可能である。
【００１６】
１３０は、画像メモリである。画像メモリ１３０は、撮影した静止画像や動画像を格納するための記憶媒体であり、所定枚数の静止画像や所定時間の動画像を格納するのに十分な記憶容量を備えている。これにより、複数枚の静止画像を連続して撮影する連写撮影の場合にも、高速かつ大容量の画像書き込みを画像メモリ１３０に対して行うことが可能である。また、画像メモリ１３０はシステム制御回路１５０の作業領域としても使用することが可能である。
１３２は、圧縮・伸長回路であり、適応離散コサイン変換（ＡＤＣＴ）等により画像を圧縮伸長する。圧縮・伸長回路１３２は、画像メモリ１３０に格納された画像を読み込んで圧縮処理あるいは伸長処理を行い、処理を終えた画像を画像メモリ１３０に書き込む。
１４０は、シャッタ制御回路であり、システム制御回路１５０の制御に基づいて、シャッタ１１２を制御する。
１４２は、測距制御回路であり、システム制御回路１５０の制御に基づいて、撮影レンズ１１０のフォーカシングを制御する。
１４４は、レンズ制御回路であり、システム制御回路１５０の制御に基づいて、撮影レンズ１１０の各種の制御を行う。
【００１７】
１５０は、システム制御回路であり、デジタルカメラ本体１０１全体を制御する。
１５１は、不揮発性メモリであり、システム制御回路によって実行されるプログラム、及び、システム制御回路１５０の動作用の定数等を記憶する。
１５２は、ワークメモリであり、システム制御回路によって使われる変数等を記憶し、システム制御回路の作業領域として使用される。
図３、図５、図７等のフローチャートの処理は、不揮発性メモリ１５１に記憶されたプログラムをワークメモリ１５２に展開してシステム制御回路１５０が実行することで実現される。
１５４は、表示部であり、システム制御回路１５０でのプログラムの実行に応じて、文字、画像、音声等を用いて動作状態やメッセージを表示したり、液晶ディスプレイ等の表示機能、及び、動作音や、警告音等を発音したりする。表示部１５４は、スピーカー等の発音機能を備える。
１５６は、経過時間を測定するタイマーである。
１６０は、各種ボタンやスイッチ等からなる操作部であり、撮影、及び、再生を実行する際に各種機能の選択、及び、切り替えの設定や、撮影、及び、再生に係る指示を行う。
【００１８】
レリーズスイッチＳＷ１（１６２）は、レリーズボタン（図示せず）の操作途中でＯＮ（オン）となり、ＡＦ（オートフォーカス）処理、ＡＥ（自動露出）処理、ＷＢ（ホワイトバランス）処理、ＥＦ（ストロボ調光）処理等の動作開始を指示する。レリーズスイッチＳＷ２（１６４）は、レリーズボタン（図示せず）の操作完了でＯＮとなり、露光処理、現像処理、及び、記録処理という一連の処理の動作開始を指示する。露光処理は、撮像素子１１４から読み出した信号をＡ／Ｄ変換器１１６、メモリ制御回路１２２を介して画像メモリ１３０に画像を書き込む処理である。現像処理は、画像処理回路１２０やメモリ制御回路１２２での演算を用いた処理である。記録処理は、画像メモリ１３０から画像を読み出し、圧縮・伸長回路１３２で圧縮を行い、記録媒体１０２に画像を書き込む処理である。
【００１９】
１６６は、再生釦である。再生釦１６６がＯＮされると、次のように画像の再生が行われる。システム制御回路１５０の制御により、記録媒体１０２の記録領域１０２ａに記録された画像がインタフェース（１９４、１０２ｂ）とコネクタ（１９６、１０２ｃ）を介して読み出される。次に、メモリ制御回路１２２が圧縮・伸長回路１３２を制御して所定の処理を行った後、画像表示メモリ１２４を介して画像表示部１２８に表示される。
１６８は、セット釦であり、ユーザは、十字キー１７０等により選択された条件に対し、セット釦１６８をＯＮすることでデジタルカメラ１００に対して決定を指示する。セット釦１６８は、確定操作部材の例である。
１７０は、十字キーであり、上釦１７１、下釦１７２、左釦１７３、右釦１７４を有している。ユーザは、十字キー１７０を操作することにより、各種設定の選択が可能であり、十字キー１７０で設定を選択した後、セット釦１６８をＯＮすることで、各種設定を実行できる。十字キー１７０は、選択操作部材の例である。
【００２０】
１７６は、画像処理操作手段の１つである消去釦であり、画像表示部１２８に画像が表示されている状態でＯＮすると、画像表示部１２８に画像消去確認画面が表示され、ユーザに対して画像消去の処理実行可否の確認がなされる。
１７８は、画像処理操作手段の１つであるプロテクト釦であり、画像表示部１２８に画像が表示されている状態でＯＮすると、その画像が消去できないようにプロテクトがかけられる。
１８０は、タッチパネル制御回路であり、１８２は、タッチパネルである。タッチパネル１８２は画像表示部１２８に対するタッチ操作（接触操作）、及び、タッチ位置（接触位置）を検出する。
【００２１】
１９０は、電源制御回路であり、電池検出回路、ＤＣ／ＤＣコンバータ、通電するブロックを切り替えるスイッチ回路等により構成されており、充電池１９２の電池残量検出を行う。そして、電源制御回路１９０は、電池残量検出結果、及び、システム制御回路１５０の指示に基づいてＤＣ／ＤＣコンバータを制御し、必要な電圧を必要な期間、記録媒体１０２を含む各部へ供給する。
１９２は、ＮｉＣｄ電池やＮｉＭＨ電池、Ｌｉ電池等の二次電池からなる充電池であり、デジタルカメラ本体１０１の電源となる電池である。
１９４は、記録媒体１０２とのインタフェースである。
１９６は、記録媒体１０２と接続を行うコネクタである。
【００２２】
１０２は、メモリカードやハードディスク等の記録媒体である。記録媒体１０２は、半導体メモリや磁気ディスク等から構成される記録領域１０２ａ、デジタルカメラ本体１０１とのインタフェース１０２ｂ、及び、デジタルカメラ本体１０１と接続を行うコネクタ１０２ｃを備えている。記録領域１０２ａには、画像が記録される。また、記録領域１０２ａには、撮像情報が撮像情報データとして画像に関連付けて記録される。記録媒体１０２はデジタルカメラ本体１０１に着脱可能に装着されている。
【００２３】
次に、特定情報について説明する。画像には、種々の属性情報がある。画像の属性情報は、必要に応じて記録媒体１０２等に、画像に関連付けられて記録されている。特定情報は、属性情報に含まれる情報である。本実施形態では、特定情報は、レーティング情報であり、画像のレーティングレベルを表す。特定情報が関連付けられて記録されている画像は、特定情報が付帯された画像であり、特定情報が関連付けられて記録されていない画像は、特定情報が付帯されていない画像である。
【００２４】
次に、画像再生消去処理について説明する。画像再生消去処理は、画像を再生したり消去したりする処理である。
まず、図３、図４を参照して、画像再生消去処理における画像を再生する処理について説明する。図３は、画像再生消去処理における画像を再生する処理のフローチャートである。図４（ａ）、（ｂ）、（ｃ）は、画像再生画面４００を示す図である。
【００２５】
ステップＳ３０１において、システム制御回路１５０は、再生釦１６６がＯＮになったか否かを判定する。システム制御回路１５０は、再生釦１６６がＯＮになったとき処理をステップＳ３０２に進め、再生釦１６６がＯＮになっていないとき再度ステップＳ３０１を実行する。
ステップＳ３０２において、システム制御回路１５０は、画像再生画面４００を画像表示部１２８に表示させる表示制御を行う。画像再生画面４００は、図４に示すように、記録媒体１０２に記録された画像が再生された画面である。システム制御回路１５０は、メモリ制御回路１２２を制御し、インタフェース１９４及び１０２ｂ、コネクタ１９６及び１０２ｃを介して、記録媒体１０２の記録領域１０２ａに記録されている画像を読み出す。読み出された画像は、システム制御回路１５０の制御に基づいて、圧縮・伸長回路１３２及び画像処理回路１２０が所定の画像処理を施す。所定の画像処理が施された画像は、システム制御回路１５０の制御に基づいて、画像表示メモリ１２４に記録された後、画像表示部１２８に表示される。こうして、画像再生画面４００が表示される。
【００２６】
ステップＳ３０３において、システム制御回路１５０は、十字キー１７０が操作されたか否かを判定する。システム制御回路１５０は、十字キー１７０が操作されたと判定した場合、処理をステップＳ３０４に進め、十字キー１７０が操作されていないと判定した場合、処理をステップＳ３０５に進める。画像再生画面４００が表示された状態で十字キー１７０が操作された場合、ユーザが再生する画像を変更する操作を行ったことを意味する。
【００２７】
ステップＳ３０４において、システム制御回路１５０は、メモリ制御回路１２２を制御し、記録媒体１０２の記録領域１０２ａに記録されている画像を読み出し、画像表示部１２８に表示する。
例えば、画像表示部１２８に図４（ｂ）の画像再生画面４００ｂが表示されているときに十字キー１７０の左釦１７３が操作された場合を考える。この場合、記録媒体１０２の記録領域１０２ａにおいて画像再生画面４００ｂで再生されている画像の１つ前に記録されている画像が、画像表示部１２８に再生される。そして、画像表示部１２８に表示される画像再生画面４００が図４（ａ）の画像再生画面４００ａになる。
また、画像表示部１２８に図４（ｂ）の画像再生画面４００ｂが表示されているときに十字キー１７０の右釦１７４が操作された場合を考える。この場合、記録媒体１０２の記録領域１０２ａにおいて画像再生画面４００ｂで再生されている画像の１つ後に記録されている画像が、画像表示部１２８に再生される。そして、画像表示部１２８に表示される画像再生画面４００が図４（ｃ）の画像再生画面４００ｃになる。
【００２８】
ステップＳ３０５において、システム制御回路１５０は、消去釦１７６がＯＮになったか否かを判定する。システム制御回路１５０は、消去釦１７６がＯＮになったとき処理をステップＳ３０６に進め、消去釦１７６がＯＮになっていないとき処理をステップＳ３０３に戻す。
ステップＳ３０６において、システム制御回路１５０は、現在画像表示部１２８に再生表示されている画像に特定情報が付帯されているか否かを判定する。システム制御回路１５０は、現在画像表示部１２８に再生表示されている画像に特定情報が付帯されているとき、処理を図７のステップＳ７０１に進める。システム制御回路１５０は、現在画像表示部１２８に再生表示されている画像に特定情報が付帯されていないとき、処理を図５のステップＳ５０１に進める。
【００２９】
次に、図５、図６を参照して、画像再生消去処理における特定情報が付帯されていない画像を消去する処理について説明する。図５は、画像再生消去処理における特定情報が付帯されていない画像を消去する処理のフローチャートである。図６（ａ）は、消去釦１７６がＯＮになる直前の画像再生画面４００である。図６（ｂ）、（ｃ）は、特定情報が付帯されていない画像の処理実行確認画面である。ここで説明する処理は画像の削除であるため、図６（ｂ）、（ｃ）の処理実行確認画面を消去実行確認画面６００と呼ぶ。
【００３０】
ステップＳ５０１において、システム制御回路１５０は、消去実行確認画面６００を画像表示部１２８に表示させる表示制御を行う。
ここで、図６（ｂ）、（ｃ）を参照して、消去実行確認画面６００について説明する。消去実行確認画面６００は、画像に対する消去の処理可否を確認するための確認画面である。消去実行確認画面６００には、処理対象画像６１０、「キャンセル」アイコン６２０、及び、「消去」アイコン６３０が表示される。
処理対象画像６１０は、消去の処理の対象となる画像であり、例えば図６（ａ）に示す直前の画像再生画面４００に表示されていた画像である。
【００３１】
「キャンセル」アイコン６２０は、ユーザが画像の消去の処理のキャンセルの指示操作を行うためのアイコンであり、処理対象画像６１０に重畳表示される。「キャンセル」アイコン６２０は、消去実行確認画面６００の下部中央に配置される。
「消去」アイコン６３０は、ユーザが画像の消去の実行指示操作を行うためのアイコンであり、処理対象画像６１０に重畳表示される。「消去」アイコン６３０は、消去実行確認画面６００の下部右側に配置される。
【００３２】
「キャンセル」アイコン６２０、及び、「消去」アイコン６３０は、消去実行確認画面６００に選択可能に表示されている。図６（ｂ）に示すように、消去実行確認画面６００の初期状態は、「キャンセル」アイコン６２０が初期選択された状態である。ステップＳ５０１で表示される消去実行確認画面６００では、「キャンセル」アイコン６２０が初期選択されている。
システム制御回路１５０は、メモリ制御回路１２２を制御して、消去実行確認画面６００の画像を作成し、画像表示メモリ１２４に記憶させた後、画像表示部１２８に表示させる表示制御を行う。
【００３３】
ステップＳ５０２において、システム制御回路１５０は、十字キー１７０が操作されて十字キー１７０の右釦１７４がＯＮになったか否かを判定する。システム制御回路１５０は、十字キー１７０の右釦１７４がＯＮのとき処理をステップＳ５０５に進め、十字キー１７０の右釦１７４がＯＮではないとき処理をステップＳ５０３に進める。
ステップＳ５０３において、システム制御回路１５０は、セット釦１６８がＯＮになったか否かを判定する。システム制御回路１５０は、セット釦１６８がＯＮのとき処理をステップＳ５０４に進め、セット釦１６８がＯＮではないとき処理をステップＳ５０２に戻す。
ステップＳ５０４において、システム制御回路１５０は、消去実行確認画面６００の表示を終了し、直近に表示された画像再生画面４００を画像表示部１２８に表示させる表示制御を行う。
【００３４】
ステップＳ５０５において、システム制御回路１５０は、図６（ｃ）に示すように、消去実行確認画面６００の「消去」アイコン６３０が選択された状態になるように制御する。
ステップＳ５０６において、システム制御回路１５０は、セット釦１６８がＯＮになったか否かを判定する。システム制御回路１５０は、セット釦１６８がＯＮのとき処理をステップＳ５０９に進め、セット釦１６８がＯＮではないとき処理をステップＳ５０７に進める。
【００３５】
ステップＳ５０７において、システム制御回路１５０は、十字キー１７０が操作されて十字キー１７０の左釦１７３がＯＮになったか否かを判定する。システム制御回路１５０は、十字キー１７０の左釦１７３がＯＮのとき処理をステップＳ５０８に進め、十字キー１７０の左釦１７３がＯＮではないとき処理をＳ５０６に戻す。
ステップＳ５０８において、システム制御回路１５０は、図６（ｂ）に示すように、消去実行確認画面６００の「キャンセル」アイコン６２０が選択された状態になるように制御する。その後、システム制御回路１５０は、処理をステップＳ５０２に戻す。
【００３６】
ステップＳ５０９において、システム制御回路１５０は、消去実行確認画面６００に表示されている処理対象画像６１０を記録媒体１０２の記録領域１０２ａから消去する制御を行う。
ステップＳ５１０において、システム制御回路１５０は、画像再生画面４００を画像表示部１２８に表示させる表示制御を行う。この画像再生画面４００で再生される画像は、記録媒体１０２の記録領域１０２ａにおいて、ステップＳ５０９で消去された画像の１つ前に記録されている画像である。
【００３７】
次に、図７、図８を参照して、画像再生消去処理における特定情報が付帯されている画像を消去する処理について説明する。図７は、画像再生消去処理における特定情報が付帯されている画像を消去する処理のフローチャートである。図８（ａ）、（ｂ）は、特定情報が付帯されている画像の消去実行確認画面８００の図である。
【００３８】
ステップＳ７０１において、システム制御回路１５０は、消去実行確認画面８００を画像表示部１２８に表示させる表示制御を行う。
ここで、図８（ａ）、（ｂ）を参照して、消去実行確認画面８００について説明する。消去実行確認画面８００は、画像に対する消去の処理可否を確認するための確認画面である。消去実行確認画面８００には、処理対象画像８１０、「キャンセル」アイコン８２０、「消去」アイコン８３０、及び、「特定情報」アイコン８４０が表示される。
処理対象画像８１０は、消去の処理の対象となる画像であり、直前の画像再生画面４００に表示されていた画像である。ここでの処理対象画像８１０には特定情報が付帯されている。
【００３９】
「キャンセル」アイコン８２０は、ユーザが画像の消去の処理のキャンセルの指示操作を行うためのアイコンであり、処理対象画像８１０に重畳表示される。「キャンセル」アイコン８２０は、消去実行確認画面８００の下部中央に配置される。「キャンセル」アイコン８２０は、図６（ｂ）、（ｃ）の「キャンセル」アイコン６２０と同様に、表示アイテムの例である。
「消去」アイコン８３０は、ユーザが画像の消去の実行指示操作を行うためのアイコンであり、処理対象画像８１０に重畳表示される。「消去」アイコン８３０は、消去実行確認画面８００の下部左側に配置される。「消去」アイコン８３０は、図６（ｂ）、（ｃ）の「消去」アイコン６３０と同様に、画像の消去の実行指示操作を受け付けるための表示アイテムの例である。
【００４０】
「キャンセル」アイコン８２０、及び、「消去」アイコン８３０は、消去実行確認画面８００に選択可能に表示されている。図８（ａ）に示すように、消去実行確認画面８００の初期状態は、「キャンセル」アイコン８２０が初期選択された状態である。ステップＳ７０１で表示される消去実行確認画面８００では、「キャンセル」アイコン６２０が初期選択されている。
「特定情報」アイコン８４０は、処理対象画像８１０に付帯された特定情報を示すアイコンであり、処理対象画像８１０に重畳表示される。本実施形態では特定情報はレーティング情報である。また、図８（ａ）、（ｂ）の処理対象画像８１０には、特定情報として、レーティングレベル「４」が付帯されているものとする。
システム制御回路１５０は、メモリ制御回路１２２を制御して、消去実行確認画面８００の画像を作成し、画像表示メモリ１２４に記憶させた後、画像表示部１２８に表示させる表示制御を行う。
【００４１】
ステップＳ７０２において、システム制御回路１５０は、十字キー１７０が操作されて十字キー１７０の左釦１７３がＯＮになったか否かを判定する。システム制御回路１５０は、十字キー１７０の左釦１７３がＯＮのとき処理をステップＳ７０５に進め、十字キー１７０の左釦１７３がＯＮではないとき処理をステップＳ７０３に進める。
ステップＳ７０３において、システム制御回路１５０は、セット釦１６８がＯＮになったか否かを判定する。システム制御回路１５０は、セット釦１６８がＯＮのとき処理をステップＳ７０４に進め、セット釦１６８がＯＮではないとき処理をステップＳ７０２に戻す。
ステップＳ７０４において、システム制御回路１５０は、消去実行確認画面８００の表示を終了し、直近に表示された画像再生画面４００を画像表示部１２８に表示させる表示制御を行う。
【００４２】
ステップＳ７０５において、システム制御回路１５０は、図８（ｂ）に示すように、消去実行確認画面８００の「消去」アイコン８３０が選択された状態になるように制御する。
ステップＳ７０６において、システム制御回路１５０は、セット釦１６８がＯＮになったか否かを判定する。システム制御回路１５０は、セット釦１６８がＯＮのとき処理をステップＳ７０９に進め、セット釦１６８がＯＮではないとき処理をステップＳ７０７に進める。
ステップＳ７０７において、システム制御回路１５０は、十字キー１７０が操作されて十字キー１７０の右釦１７４がＯＮになったか否かを判定する。システム制御回路１５０は、十字キー１７０の右釦１７４がＯＮのとき処理をステップＳ７０８に進め、十字キー１７０の右釦１７４がＯＮではないとき処理をＳ７０６に戻す。
ステップＳ７０８において、システム制御回路１５０は、図８（ａ）に示すように、消去実行確認画面８００の「キャンセル」アイコン８２０が選択された状態になるように制御する。その後、システム制御回路１５０は、処理をステップＳ７０２に戻す。
【００４３】
ステップＳ７０９において、システム制御回路１５０は、消去実行確認画面８００に表示されている処理対象画像８１０を記録媒体１０２の記録領域１０２ａから消去する制御を行う。
ステップＳ７１０において、システム制御回路１５０は、画像再生画面４００を画像表示部１２８に表示させる表示制御を行う。この画像再生画面４００で再生される画像は、記録媒体１０２の記録領域１０２ａにおいて、ステップＳ７０９で消去された画像の１つ前に記録されている画像である。
【００４４】
次に、図９、図１０を参照して、画像再生消去処理における特定情報が付帯されている画像を消去する処理の変形例について説明する。図９は、画像再生消去処理における特定情報が付帯されている画像を消去する処理のフローチャートである。図１０（ａ）、（ｂ）は、特定情報が付帯されている画像の消去実行確認画面８００の図である。
【００４５】
ステップＳ９０１において、システム制御回路１５０は、消去実行確認画面８００を画像表示部１２８に表示させる表示制御を行う。図１０に示す本変形例の消去実行確認画面８００は、図８に示す消去実行確認画面８００とは、「キャンセル」アイコン８２０、及び、「消去」アイコン８３０の配置が異なる。図１０に示す本変形例の消去実行確認画面８００では、「キャンセル」アイコン８２０は、消去実行確認画面８００の下部中央に配置され、「消去」アイコン８３０は、「キャンセル」アイコン８２０の上部に配置されている。また、図１０（ａ）に示すように、本変形例の消去実行確認画面８００の初期状態は、「キャンセル」アイコン８２０が初期選択された状態である。本変形例の消去実行確認画面８００は、その他の点は、図８に示す消去実行確認画面８００と同様である。
なお、本変形例において、ステップＳ９０１は、図３のステップＳ３０６で、システム制御回路１５０が、現在画像表示部１２８に再生表示されている画像に特定情報が付帯されていると判定したときに、実行される。
【００４６】
ステップＳ９０２において、システム制御回路１５０は、十字キー１７０が操作されて十字キー１７０の上釦１７１がＯＮになったか否かを判定する。システム制御回路１５０は、十字キー１７０の上釦１７１がＯＮのとき処理をステップＳ９０５に進め、十字キー１７０の上釦１７１がＯＮではないとき処理をステップＳ９０３に進める。
ステップＳ９０３からＳ９０６までは、図７のステップＳ７０３からＳ７０６までと同様であるため詳細な説明を省略する。
ステップＳ９０７において、システム制御回路１５０は、十字キー１７０が操作されて十字キー１７０の下釦１７２がＯＮになったか否かを判定する。システム制御回路１５０は、十字キー１７０の下釦１７２がＯＮのとき処理をステップＳ９０８に進め、十字キー１７０の下釦１７２がＯＮではないとき処理をＳ９０６に戻す。
ステップＳ９０８からＳ９１０までは、図７のステップＳ７０８からＳ７１０までと同様であるため詳細な説明を省略する。
【００４７】
以上説明したように、デジタルカメラ１００は、特定情報が付帯された画像であるか否かに応じて、図６（ｂ）、（ｃ）に示す消去実行確認画面６００か、図８、図１０に示す消去実行確認画面８００かを変える制御を行う。消去実行確認画面６００と消去実行確認画面８００とでは、画像の消去の実行指示操作の操作方法が異なる。
したがって、ユーザは、特定情報が付帯されていない画像についての消去を連続して行った後に特定情報が付帯された画像を消去する場合、画像の消去の実行指示操作の操作方法が異なるため、反復動作による操作の慣れからくる誤操作を防止できる。
また、特定情報が付帯された画像の消去時は、特定情報が付帯されていない画像の消去時と同様に、例えば、警告画面が追加で表示されることはない。さらに、毎回アイコンの配置が換わることもない。したがって、ユーザの操作が煩雑になることはない。
【００４８】
＜第２実施形態＞
次に、本実施形態に係るデジタルカメラ１００について説明する。第１実施形態に係るデジタルカメラ１００と同様の点については、同符号を付し、説明を省略する。本実施形態に係るデジタルカメラ１００では、処理対象画像に特定情報が付帯されているとき、画像消去確認画面に特定情報の内容を変更するためのアイコンが表示される。
図１１、図１２を参照して、画像再生消去処理における特定情報が付帯されている画像を消去する処理について説明する。図１１は、画像再生消去処理における特定情報が付帯されている画像を消去する処理のフローチャートである。図１２（ａ）、（ｂ）、（ｃ）は、特定情報が付帯されている画像の消去実行確認画面８００の図である。
【００４９】
本実施形態において、図１１のステップＳ１１０１は、図３のステップＳ３０６で、システム制御回路１５０が、現在画像表示部１２８に再生表示されている画像に特定情報が付帯されていると判定したときに、実行される。
ステップＳ１１０１において、システム制御回路１５０は、消去実行確認画面１２００を画像表示部１２８に表示させる表示制御を行う。
【００５０】
ここで、図１２（ａ）、（ｂ）、（ｃ）を参照して、消去実行確認画面１２００について説明する。消去実行確認画面１２００は、第１実施形態の消去実行確認画面８００と同様に、画像に対する消去の処理可否を確認するための確認画面である。消去実行確認画面１２００には、処理対象画像１２１０、「キャンセル」アイコン１２２０、「消去」アイコン１２３０、「レーティングレベル変更」アイコン１２４０、及び、「特定情報」アイコン１２５０が表示される。本実施形態の消去実行確認画面１２００は、第１実施形態の消去実行確認画面８００とは異なり、「レーティングレベル変更」アイコン１２４０が追加になっている。
処理対象画像１２１０は、消去の処理の対象となる画像であり、直前の画像再生画面４００に表示されていた画像である。ここでの処理対象画像１２１０には特定情報が付帯されている。
【００５１】
「キャンセル」アイコン１２２０、「消去」アイコン１２３０は、図８（ａ）、（ｂ）に示す消去実行確認画面８００の同名称のアイコンと同様である。「キャンセル」アイコン１２２０は、消去実行確認画面１２００の下部中央に配置される。「消去」アイコン１２３０は、消去実行確認画面１２００の下部左側に配置される。
「レーティングレベル変更」アイコン１２４０は、ユーザが特定情報であるレーティング情報の変更の指示操作を行うためのアイコンであり、処理対象画像８１０に重畳表示される。「レーティングレベル変更」アイコン１２４０は、消去実行確認画面１２００の下部右側に配置される。
【００５２】
「キャンセル」アイコン１２２０、「消去」アイコン１２３０、及び、「レーティングレベル変更」アイコン１２４０は、消去実行確認画面１２００に選択可能に表示されている。図１２（ａ）に示すように、消去実行確認画面１２００の初期状態は、「キャンセル」アイコン１２２０が初期選択された状態である。
「特定情報」アイコン１２４０は、処理対象画像１２１０に付帯された特定情報を示すアイコンであり、処理対象画像１２１０に重畳表示される。また、図１２（ａ）、（ｂ）、（ｃ）の処理対象画像１２１０には、特定情報として、レーティングレベル「４」が付帯されているものとする。
システム制御回路１５０は、メモリ制御回路１２２を制御して、消去実行確認画面１２００の画像を作成し、画像表示メモリ１２４に記憶させた後、画像表示部１２８に表示させる制御を行う。ステップＳ１１０１で表示される消去実行確認画面１２００では、「キャンセル」アイコン１２２０が初期選択されている。
【００５３】
ステップＳ１１０２において、システム制御回路１５０は、十字キー１７０が操作されて十字キー１７０の右釦１７４がＯＮになったか否かを判定する。システム制御回路１５０は、十字キー１７０の右釦１７４がＯＮのとき処理をステップＳ１１１２に進め、十字キー１７０の右釦１７４がＯＮではないとき処理をステップＳ１１０３に進める。
ステップＳ１１０３において、システム制御回路１５０は、十字キー１７０が操作されて十字キー１７０の左釦１７３がＯＮになったか否かを判定する。システム制御回路１５０は、十字キー１７０の左釦１７３がＯＮのとき処理をステップＳ１１０６に進め、左釦１７３がＯＮではないとき処理をステップＳ１１０４に進める。
【００５４】
ステップＳ１１０４において、システム制御回路１５０は、セット釦１６８がＯＮになったか否かを判定する。システム制御回路１５０は、セット釦１６８がＯＮのとき処理をステップＳ１１０５に進め、セット釦１６８がＯＮではないとき処理をステップＳ１１０２に戻す。
ステップＳ１１０５において、システム制御回路１５０は、消去実行確認画面１２００の表示を終了し、直近に表示された画像再生画面４００を画像表示部１２８に表示させる表示制御を行う。
【００５５】
ステップＳ１１０６において、システム制御回路１５０は、図１２（ｂ）に示すように、消去実行確認画面８００の「消去」アイコン１２３０が選択された状態になるように制御する。
ステップＳ１１０７において、システム制御回路１５０は、セット釦１６８がＯＮになったか否かを判定する。システム制御回路１５０は、セット釦１６８がＯＮのとき処理をステップＳ１１１０に進め、セット釦１６８がＯＮではないとき処理をステップＳ１１０８に進める。
ステップＳ１１０８において、システム制御回路１５０は、十字キー１７０が操作されて十字キー１７０の右釦１７４がＯＮになったか否かを判定する。システム制御回路１５０は、十字キー１７０の右釦１７４がＯＮのとき処理をステップＳ１１０９に進め、十字キー１７０の右釦１７４がＯＮではないとき処理をステップＳ１１０７に戻す。
【００５６】
ステップＳ１１０９において、システム制御回路１５０は、図１２（ａ）に示すように、消去実行確認画面１２００の「キャンセル」アイコン１２２０が選択された状態になるように制御する。その後、システム制御回路１５０は、処理をステップＳ１１０２に戻す。
ステップＳ１１１０において、システム制御回路１５０は、消去実行確認画面１２００に表示されている処理対象画像１２１０を記録媒体１０２の記録領域１０２ａから消去する制御を行う。
ステップＳ１１１１において、システム制御回路１５０は、画像再生画面４００を画像表示部１２８に表示させる表示制御を行う。この画像再生画面４００で再生される画像は、記録媒体１０２の記録領域１０２ａにおいて、ステップＳ１１１０で消去された画像の１つ前に記録されている画像である。
【００５７】
ステップＳ１１１２において、システム制御回路１５０は、図１２（ｃ）に示すように、消去実行確認画面１２００の「レーティングレベル変更」アイコン１２４０が選択された状態になるように制御する。
ステップＳ１１１３において、システム制御回路１５０は、セット釦１６８がＯＮになったか否かを判定する。システム制御回路１５０は、セット釦１６８がＯＮのとき処理をステップＳ１１１６に進め、セット釦１６８がＯＮではないとき処理をステップＳ１１１４に進める。
ステップＳ１１１４において、システム制御回路１５０は、十字キー１７０が操作されて十字キー１７０の左釦１７３がＯＮになったか否かを判定する。システム制御回路１５０は、十字キー１７０の左釦１７３がＯＮのとき処理をステップＳ１１１５に進め、左釦１７３がＯＮではないとき処理をステップＳ１１１３に戻す。
ステップＳ１１１５において、システム制御回路１５０は、図１２（ａ）に示すように、消去実行確認画面１２００の「キャンセル」アイコン１２２０が選択された状態になるように制御する。その後、システム制御回路１５０は、処理をステップＳ１１０２に戻す。
【００５８】
ステップＳ１１１６において、システム制御回路１５０は、レーティングレベル変更画面１３００を画像表示部１２８に表示させる表示制御を行う。
ここで、図１３（ａ）、（ｂ）を参照して、レーティングレベル変更画面１３００について説明する。図１３（ａ）、（ｂ）は、レーティングレベル変更画面１３００を示す図である。
【００５９】
レーティングレベル変更画面１３００は、本実施形態の特定情報であるレーティング情報を変更するための画面である。レーティングレベル変更画面１３００には、処理対象画像１３１０、「レーティングレベル」アイコン１３２０、「キャンセル」アイコン１３３０、及び、「特定情報」アイコン１３４０が表示される。
処理対象画像１３１０は、レーティング情報の変更対象となる画像であり、直近の消去実行確認画面１２００の処理対象画像１２１０と同じ画像である。
「キャンセル」アイコン１３３０は、ユーザがレーティング情報の変更をキャンセルの指示操作を行うためのアイコンであり、レーティングレベル変更画面１３００の下部右側に配置される。
【００６０】
「レーティングレベル」アイコン１３２０は、複数あり、それぞれ異なるレーティングレベルを表す。ユーザはいずれかの「レーティングレベル」アイコン１３２０を選択してセット釦１６８をＯＮにすることで、処理対象画像１３１０のレーティングレベルを選択した「レーティングレベル」アイコン１３２０に対応するものに変更できる。「レーティングレベル」アイコン１３２０は、「キャンセル」アイコン１３３０の左側に配置される。図１３の例では、「レーティングレベル」アイコン１３２０に示される星印の数がレーティングレベルを表す。
レーティングレベル変更画面１３００は、初期状態では、処理対象画像１３１０のレーティングレベルに対応する「レーティングレベル」アイコン１３２０が選択された状態になっている。ここで説明する処理対象画像１３１０のレーティングレベルは「４」である。したがって、図１３（ａ）に示すように、初期状態のレーティングレベル変更画面１３００では、レーティングレベル「４」に対応する「レーティングレベル」アイコン１３２０が選択された状態になっている。
「特定情報」アイコン１３４４０は、処理対象画像１３１０に付帯された特定情報を示すアイコンであり、処理対象画像１３１０に重畳表示される。
なお、レーティングレベル変更画面１３００において、「キャンセル」アイコン１３３０を下部左側に配置してもよい。このとき、「レーティングレベル」アイコン１３２０は、例えば、「キャンセル」アイコン１３３０の右側に配置される。
ステップＳ１１１６の後、システム制御回路１５０は、処理を図１４のステップＳ１４０１に進める。
【００６１】
次に、図１４を参照して、画像再生消去処理における特定情報を変更する処理について説明する。図１４は、画像再生消去処理における特定情報を変更する処理のフローチャートである。
ステップＳ１４０１において、システム制御回路１５０は、十字キー１７０が操作されたか否かを判定する。システム制御回路１５０は、十字キー１７０が操作されたとき処理をステップＳ１４０２に進め、十字キー１７０が操作されていないとき処理をステップＳ１４０３に進める。
【００６２】
ステップＳ１４０２において、システム制御回路１５０は、操作された十字キー１７０の釦が表す方向、及び、操作された回数に応じて、レーティングレベル変更画面１３００の選択されたアイコンを変更する制御を行う。
例えば、レーティングレベル変更画面１３００が図１３（ａ）のようにレーティングレベル「４」を表す「レーティングレベル」アイコン１３２０が選択された状態ときに、十字キー１７０の左釦１７３が２回操作された場合を考える。この場合、システム制御回路１５０は、図１３（ａ）で選択されたアイコンの２個左のアイコンが選択された状態になるように制御する。したがって、図１３（ｂ）に示すように、レーティングレベル「２」を表す「レーティングレベル」アイコン１３２０が選択された状態になる。
【００６３】
ステップＳ１４０３において、システム制御回路１５０は、セット釦１６８がＯＮになったか否かを判定する。システム制御回路１５０は、セット釦１６８がＯＮのとき処理をステップＳ１４０４に進め、セット釦１６８がＯＮではないとき処理をステップＳ１４０１に戻す。
ステップＳ１４０４において、システム制御回路１５０は、処理対象画像１３１０のレーティング情報を、レーティングレベル変更画面１３００で選択されている「レーティングレベル」アイコン１３２０に対応するレーティングレベルに変更する制御を行う。
なお、レーティングレベル変更画面１３００の「キャンセル」アイコン１３３０が選択されていたときにセット釦１６８がＯＮになった場合、システム制御回路１５０は次の処理を行ってもよい。すなわち、システム制御回路１５０は、直近に表示されていた消去実行確認画面１２００を画像表示部１２８に表示させる表示制御を行って、処理を図１１のステップＳ１１１３等に戻してもよい。
【００６４】
以上説明したように、特定情報が付帯された画像についての消去実行確認画面１２００には「レーティングレベル変更」アイコン１２４０が表示され、特定情報であるレーティング情報を変更できる。したがって、ユーザは設定画面等を用いることなく、特定情報に関連する操作をする際に特定情報を変更でき、利便性が向上する。
また、上述の実施形態と同様に、ユーザの誤操作を防止でき、さらに、ユーザの操作が煩雑になることを回避できる。
【００６５】
＜第３実施形態＞
次に、本実施形態に係るデジタルカメラ１００について説明する。上述の実施形態に係るデジタルカメラ１００と同様の点については、同符号を付し、説明を省略する。
本実施形態に係るデジタルカメラ１００は、消去実行確認画面１５００におけるアイコンの配置、初期状態の消去実行確認画面１５００で選択されているアイコンを除いて第２実施形態のデジタルカメラ１００と同様である。消去実行確認画面１５００は、本実施形態における特定情報が付帯されている画像についての消去実行確認画面である。
図１５（ａ）を参照して本実施形態における特定情報が付帯されている画像についての消去実行確認画面１５００について説明する。消去実行確認画面１５００には、処理対象画像１２１０、「キャンセル」アイコン１２２０、「消去」アイコン１２３０、「レーティングレベル変更」アイコン１２４０、及び、「特定情報」アイコン１２５０が表示される。
【００６６】
本実施形態の消去実行確認画面１５００では、初期状態で「レーティングレベル変更」アイコン１２４０が選択された状態になっている。
本実施形態の消去実行確認画面１５００では、「キャンセル」アイコン１２２０が下部中央に配置されており、「消去」アイコン１２３０が「キャンセル」アイコン１２２０の右側に配置されている。また、「レーティングレベル変更」アイコン１２４０が「キャンセル」アイコン１２２０の左側に配置されている。本実施形態の消去実行確認画面１５００における「キャンセル」アイコン１２２０、及び、「消去」アイコン１２３０の配置は、図６（ｂ）に示す特定情報が付帯されていない画像が消去実行確認画面６００となった消去実行確認画面６００と同様である。
【００６７】
本実施形態において、特定情報が付帯されていない画像についての消去実行確認画面は、図６を参照して説明した消去実行確認画面６００と同様である。このため、特定情報が付帯されていない画像についての消去実行確認画面６００の初期状態では、「キャンセル」アイコン６２０が初期選択されている。したがって、特定情報が付帯されていない画像については、画像の消去のための「消去」アイコン６３０を選択するために、ユーザは消去実行確認画面６００で十字キー１７０の右釦１７４を１回ＯＮにする必要がある。
【００６８】
一方、特定情報が付帯されている画像については、画像の消去のための「消去」アイコン１２３０を選択するために、消去実行確認画面６００で十字キー１７０の右釦１７４を２回ＯＮにする必要がある。したがって、上述の実施形態と同様に、反復動作による操作の慣れからくる誤操作を防止できる。また、上述の実施形態と同様に、ユーザの操作が煩雑になることはない。
【００６９】
次に、図１５（ｂ）を参照して、本実施形態の変形例に係るデジタルカメラ１００について説明する。本変形例においても、図１５（ｂ）に示すように、特定情報が付帯されている画像についての消去実行確認画面１５００の各アイコンの配置は、図１５（ａ）の消去実行確認画面１５００と同様である。
しかし、本変形例の消去実行確認画面１５００では、初期状態ではいずれのアイコンも選択された状態になっていない。本変形例では、初期状態の消去実行確認画面１５００が表示された後、システム制御回路１５０は、十字キー１７０の操作を検知したときに、例えば「キャンセル」アイコン１２２０が選択された状態になるように制御する。
なお、本変形例においても、特定情報が付帯されていない画像についての消去実行確認画面は、図６を参照して説明した消去実行確認画面６００と同様である。このため、特定情報が付帯されていない画像についての消去実行確認画面６００の初期状態では、「キャンセル」アイコン６２０が初期選択されている。したがって、特定情報が付帯されていない画像については、画像の消去のための「消去」アイコン６３０を選択するために、ユーザは消去実行確認画面６００で十字キー１７０の右釦１７４を１回ＯＮにする必要がある。
【００７０】
一方、特定情報が付帯されている画像についての消去実行確認画面１５００では、初期状態ではいずれのアイコンも選択された状態になっておらず、ユーザが十字キー１７０の操作をしたときに「キャンセル」アイコン１２２０が選択される。したがって、上述の実施形態と同様に、反復動作による操作の慣れからくる誤操作を防止できる。また、上述の実施形態と同様に、ユーザの操作が煩雑になることはない。
【００７１】
＜その他の実施形態＞
上述の実施形態では、特定情報をレーティング情報とし、画像に対する処理を画像の消去として説明したが、特定情報はレーティング情報以外でもよく、画像に対する処理は画像の消去以外もよい。
ここでは、特定情報を保護情報と例にして説明する。保護情報は、画像の保護に関する情報である。保護情報として、例えば、画像の印刷が不要であることを表す印刷不要情報、画像の転送が不要であることを表す転送不要情報、及び、画像の保存されているフォルダを変えることができないフォルダ移動不可情報がある。また、保護情報として、画像のコピーができないことを表すデータコピー不可情報がある。
また、画像に対する処理として、印刷、転送、フォルダ移動、及び、コピーを例として説明する。
【００７２】
まず、図１６（ａ）を参照して、第１処理実行確認画面１６００について説明する。第１処理実行確認画面１６００は、特定情報として保護情報の印刷不要情報が付帯された画像の印刷を行うときに表示される画面である。システム制御回路１５０は、特定情報として印刷不要情報が付帯された画像が画像再生画面４００に表示されているときにユーザが印刷の操作を行ったことを検知すると、第１処理実行確認画面１６００を画像表示部１２８に表示させる表示制御を行う。
第１処理実行確認画面１６００は、図１２に示す消去実行確認画面１２００と同様である。ただし、「消去」アイコン１２３０の代わりに「印刷」アイコン１６１０が表示され、「レーティングレベル変更」アイコン１２４０の代わりに「保護解除」アイコン１６２０が表示される。また、レーティングレベルを表す「特定情報」アイコン１２５０の代わりに、印刷不要情報が付帯されていることを表す「特定情報」アイコン１６６０が表示される。
【００７３】
「印刷」アイコン１６１０は、印刷を実行するためのアイコンである。
「保護解除」アイコン１６２０は、処理対象画像１２１０に付帯された保護情報の印刷不要情報を削除して、処理対象画像１２１０の印刷についての保護を解除するためのアイコンである。
特定情報として保護情報の印刷不要情報が付帯されていない画像の印刷を行うときの処理実行確認画面は、図６（ｂ）、（ｃ）に示す消去実行確認画面６００と同様である。ただし、「消去」アイコン６３０の代わりに「印刷」アイコン１６１０が表示される。
【００７４】
したがって、反復動作による操作の慣れによって、ユーザが印刷を所望していない画像に対して誤って印刷を実行することを回避できる。このため、印刷機のインクや印画紙等が無駄になることを回避できる。
【００７５】
次に、図１６（ｂ）を参照して、第２処理実行確認画面１６０１について説明する。第２処理実行確認画面１６０１は、特定情報として保護情報の転送不要情報が付帯された画像の転送を行うときに表示される画面である。システム制御回路１５０は、特定情報として転送不要情報が付帯された画像が画像再生画面４００に表示されているときにユーザが画像の転送の操作を行ったことを検知すると、第２処理実行確認画面１６０１を画像表示部１２８に表示させる表示制御を行う。
第２処理実行確認画面１６０１は、図１６（ａ）に示す第１処理実行確認画面１６００と同様である。ただし、「印刷」アイコン１６１０の代わりに「転送」アイコン１６３０が表示される。
【００７６】
「転送」アイコン１６３０は、画像の転送を実行するためのアイコンである。
第２処理実行確認画面１６０１の「保護解除」アイコン１６２０は、処理対象画像１２１０に付帯された保護情報の転送不要情報を削除して、処理対象画像１２１０の転送についての保護を解除するためのアイコンである。
特定情報として保護情報の転送不要情報が付帯されていない画像の転送を行うときの処理実行確認画面は、図６（ｂ）、（ｃ）に示す消去実行確認画面６００と同様である。ただし、「消去」アイコン６３０の代わりに「転送」アイコン１６３０が表示される。
したがって、反復動作による操作の慣れによって、ユーザが転送を所望していない画像を誤って転送して、他者には公開したくない画像が転送されることを回避できる。
【００７７】
次に、図１６（ｃ）を参照して、第３処理実行確認画面１６０２について説明する。第３処理実行確認画面１６０２は、特定情報として保護情報のフォルダ移動不可情報が付帯された画像のフォルダを行うときに表示される画面である。システム制御回路１５０は、特定情報としてフォルダ移動不可情報が付帯された画像が画像再生画面４００に表示されているときにユーザが画像のフォルダ移動の操作を行ったことを検知すると、次の処理を行う。すなわち、システム制御回路１５０は、第３処理実行確認画面１６０２を画像表示部１２８に表示させる表示制御を行う。
第３処理実行確認画面１６０２は、図１６（ａ）に示す第１処理実行確認画面１６００と同様である。ただし、「印刷」アイコン１６１０の代わりに「フォルダ移動」アイコン１６４０が表示される。
【００７８】
「フォルダ移動」アイコン１６４０は、画像のフォルダ移動を実行するためのアイコンである。
第３処理実行確認画面１６０２の「保護解除」アイコン１６２０は、処理対象画像１２１０に付帯された保護情報のフォルダ移動不可情報を削除して、処理対象画像１２１０のフォルダ移動についての保護を解除するためのアイコンである。
特定情報として保護情報のフォルダ移動不可情報が付帯されていない画像の転送を行うときの処理実行確認画面は、図６（ｂ）、（ｃ）に示す消去実行確認画面６００と同様である。ただし、「消去」アイコン６３０の代わりに「フォルダ移動」アイコン１６４０が表示される。
【００７９】
したがって、反復動作による操作の慣れによって、ユーザがフォルダ移動を所望していない画像を誤ってフォルダ移動してしまうことを回避できる。フォルダ移動を所望していない画像を誤ってフォルダ移動してしまうと、ユーザは画像のフォルダ移動に気が付かず、画像を見失ってしまうという問題が起きる。
【００８０】
次に、図１６（ｄ）を参照して、第４処理実行確認画面１６０３について説明する。第４処理実行確認画面１６０３は、特定情報として保護情報のデータコピー不可情報が付帯された画像のコピーを行うときに表示される画面である。システム制御回路１５０は、特定情報としてデータコピー不可情報が付帯された画像が画像再生画面４００に表示されているときにユーザが画像のコピーの操作を行ったことを検知すると、次の処理を行う。すなわち、システム制御回路１５０は、第４処理実行確認画面１６０３を画像表示部１２８に表示させる表示制御を行う。
第４処理実行確認画面１６０３は、図１６（ａ）に示す第１処理実行確認画面１６００と同様である。ただし、「印刷」アイコン１６１０の代わりに「コピー」アイコン１６５０が表示される。
【００８１】
「コピー」アイコン１６５０は、画像のコピーを実行するためのアイコンである。
第４処理実行確認画面１６０３の「保護解除」アイコン１６２０は、処理対象画像１２１０に付帯された保護情報のデータコピー不可情報を削除して、処理対象画像１２１０のデータコピーについての保護を解除するためのアイコンである。
特定情報として保護情報のデータコピー不可情報が付帯されていない画像のコピーを行うときの処理実行確認画面は、図６（ｂ）、（ｃ）に示す消去実行確認画面６００と同様である。ただし、「消去」アイコン１２３０の代わりに「コピー」アイコン１６５０が表示される。
【００８２】
したがって、反復動作による操作の慣れによって、ユーザがコピーを所望していない画像を誤ってコピーしてしまうことを回避できる。コピーを所望していない画像を誤ってコピーしてしまうと、ユーザはコピーに気が付かずに画像を誤って他者に公開してしまうという問題が生じることがある。また、ユーザはコピーに気が付いた場合でも、ユーザはコピーされた画像を削除する必要が生じてしまうという問題が生じる。
【００８３】
保護情報として課金が必要な画像に対する処理を行わないことを表す情報があり、画像に対する処理として、課金が必要な処理についても、上述の実施形態と同様の処理実行確認画面を用意してもよい。この場合、ユーザの意図とは異なって誤って処理を実行して無駄に費用が発生することを回避できる。
また、上述の各実施形態において、特定情報として、音声情報を用いてもよい。音声情報は、例えばボイスメモとして使われる。この場合であっても、上述の実施形態と同様にユーザの誤操作を防止できる。
このように、特定情報、及び、画像に対して実行する処理は種々あり、ここで説明したものに限定されるものではない。
【００８４】
上述の実施形態では、処理実行確認画面での操作部材として十字キー１７０が使われる例について説明した。しかし、処理実行確認画面での操作部材として、タッチパネル１８２が使われるようにしてもよい。
例えば、図８（ａ）に示す消去実行確認画面８００において、「キャンセル」アイコン８２０の表示位置に対するタッチ操作に応じて、ユーザはキャンセルの指示を行うことができる。また、「消去」アイコン８３０の表示位置に対するタッチ操作に応じて、ユーザは消去の指示を行うことができる。タッチ操作の例として、画面をタッチしてから離す操作であるタップが挙げられる。
この場合でも、特定情報が付帯されているか否かに応じて「キャンセル」アイコン８２０、及び、「消去」アイコン８３０の位置関係を変更することで、反復動作による慣れからくる誤操作を防止できる。
【００８５】
なお、システム制御回路１５０が行うものとして説明した上述の各種制御は、１つのハードウェアが行ってもよいし、複数のハードウェアが処理を分担することで、装置全体の制御を行ってもよい。
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００８６】
また、上述した実施形態においては、本発明をデジタルカメラに適用した場合を例にして説明したが、これはこの例に限定されず、画像に対する処理を行うことができる電子機器であれば適用可能である。すなわち、本発明はパーソナルコンピュータやＰＤＡ、携帯電話端末や携帯型の画像ビューワ、ディスプレイを備えるプリンタ装置、デジタルフォトフレーム、音楽プレーヤー等に適用可能である。また、本発明はゲーム機、電子ブックリーダー、タブレット端末、スマートフォン、投影装置、ディスプレイを備える家電装置や車載装置等に適用可能である。
【００８７】
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【００８８】
以上、本発明を実施形態と共に説明したが、上述の実施形態は本発明を実施するにあたっての具体化の例を示したものに過ぎず、これらによって本発明の技術的範囲が限定的に解釈されてはならないものである。すなわち、本発明はその技術思想、又はその主要な特徴から逸脱することなく、様々な形で実施することができる。
【符号の説明】
【００８９】
１００  デジタルカメラ、１２８  画像表示部、１５０  システム制御回路
【図１】
2018077701.tif 000003
【図２】
2018077701.tif 000004
【図３】
2018077701.tif 000005
【図４】
2018077701.tif 000006
【図５】
2018077701.tif 000007
【図６】
2018077701.tif 000008
【図７】
2018077701.tif 000009
【図８】
2018077701.tif 000010
【図９】
2018077701.tif 000011
【図１０】
2018077701.tif 000012
【図１１】
2018077701.tif 000013
【図１２】
2018077701.tif 000014
【図１３】
2018077701.tif 000015
【図１４】
2018077701.tif 000016
【図１５】
2018077701.tif 000017
【図１６】
2018077701.tif 000018
【図１７】
2018077701.tif 000019